【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
優先度およびデータ使用プランを考慮してバックアップ操作を管理するシステムであって、
利用者のモバイルコンピュータデバイスに関連付けられたメモリ領域であって、前記メモリ領域が、バックアップ操作を表しかつ前記バックアップ操作に関連する優先度情報を有する複数のデータ転送要求を格納し、前記メモリ領域が、データ使用プランの下で前記モバイルコンピュータデバイスによって消費されるネットワークデータ量を表すデータ使用統計をさらに格納する、メモリ領域と、
前記モバイルコンピュータデバイスで実行される１または複数のアプリケーションから前記データ転送要求を受信し、
前記１または複数のアプリケーションに割り当てられる１または複数の絶対優先度を表す前記優先度情報と
前記メモリ領域に格納された前記データ使用統計と
に基づいて、前記受信したデータ転送要求の１または複数を選択し、
前記選択した１または複数のデータ転送要求を、前記モバイルコンピュータデバイスが利用できるネットワーク接続で開始する
ようにプログラムされたプロセッサと
を含むシステム。
【請求項２】
前記プロセッサが、前記優先度情報と前記データ使用統計とに基づいて、前記受信したデータ転送要求の前記１または複数を、前記モバイルコンピュータデバイスが利用できる複数のネットワーク接続にマッチさせることにより、前記受信したデータ転送要求の前記１または複数を選択するようにプログラムされている請求項１記載のシステム。
【請求項３】
前記プロセッサが、前記受信したデータ転送要求に関連する前記バックアップ操作に割り当てられた優先度に基づいて、前記受信したデータ転送要求に前記優先度情報を割り当てるようにさらにプログラムされ、前記プロセッサが、前記アプリケーションを前記アプリケーションの実行時に最近使用された（ＭＲＵ）リストに追加することにより前記優先度情報を割り当てるようにプログラムされ、前記プロセッサが、前記ＭＲＵリストの順序で前記バックアップ操作を実行することにより、前記選択した１または複数のデータ転送要求を開始するようにプログラムされた請求項１に記載のシステム。
【請求項４】
前記優先度情報が、制限なし公衆無線ネットワークのみ、ネットワーク接続が利用できるときのみ、または前記利用者またはアプリケーションによる手動オンデマンドの１または複数を含む請求項１に記載のシステム。
【請求項５】
優先度および残存ネットワークデータ消費を考慮してバックアップ操作を選択的に実行する手段をさらに含む請求項１に記載のシステム。
【請求項６】
前記メモリ領域が、優先度およびデータ使用プランを考慮してバックアップ操作を管理するための実行可能な命令で具現化される１または複数のコンピュータストレージメモリをさらに格納し、前記命令が、
コンピュータデバイスで実行される１または複数のアプリケーションから複数のデータ転送要求を受信するステップであって、前記複数のデータ転送要求の少なくとも１つが更新操作を表し、前記複数のデータ転送要求の少なくとも１つがバックアップ操作を表し、前記バックアップ操作が、前記モバイルコンピュータデバイスのユーザ体験についてのバックアップ操作の影響を示す優先度情報を備える、ステップと、
前記優先度情報とデータ使用統計とに少なくとも基づいて、前記バックアップ操作を表す複数のデータ転送要求の前記少なくとも１つを選択するステップであって、前記データ使用統計が、データ使用プランの下で前記モバイルコンピュータデバイスによって消費されるネットワークデータ量を表す、ステップと、
前記データ使用統計と、前記モバイルコンピュータデバイスが利用できるネットワーク接続とに少なくとも基づいて、前記更新操作を表す前記複数のデータ転送要求の前記少なくとも１つを選択するステップと、
前記ネットワーク接続で、前記受信した複数のデータ転送要求のうち、前記バックアップ操作および前記更新操作により選択された前記１または複数を開始するステップと
を含む、請求項１に記載のシステム。
【請求項７】
コンピュータデバイスで実行される１または複数のアプリケーションから複数のデータ転送要求を受信するステップであって、前記複数のデータ転送要求のそれぞれが、１または複数の更新操作またはバックアップ操作を表す、ステップと、
前記コンピュータデバイスに利用可能な２以上のネットワークを識別するステップと、
データ使用プランの下で前記コンピュータデバイスによって前記２以上のネットワークのうちの少なくとも１つにおいて消費されるネットワークデータ量を示すデータ使用統計にアクセスするステップと、
前記コンピュータデバイスに利用可能な前記２以上のネットワークの全域で１または複数のデータ転送要求を実行することに関連する予想されるデータ消費を予測するステップと、
前記コンピュータデバイスによって消費される前記ネットワークデータに基づいて、前記２以上のネットワークにおいて前記コンピュータデバイスに利用可能な残存ネットワーク消費を決定するステップと、
前記１または複数のデータ転送要求を実行する前記２以上のネットワークのうちの１つを、（ａ）前記２以上のネットワークにおいて前記コンピュータデバイスに利用可能な残存ネットワーク消費と、（ｂ）前記２以上のネットワークの全域で１または複数のデータ転送要求を実行することに関連する前記予測されたデータ消費と、に基づいて選択するステップと、
前記２以上のネットワークのうちの前記選択された１つにおいて、少なくとも前記複数のデータ転送要求の実行を開始する開始するステップと
を含む方法。
【請求項８】
前記データ使用統計にアクセスするステップが、前記データ使用プランの下で前記コンピュータデバイスにより所定の時間間隔の少なくとも一部で消費されたネットワークデータの量を判断するステップを含み、前記受信した複数のデータ転送要求の前記１または複数を選択する前に、前記データ使用プランに対するカウントをしないネットワーク接続が利用可能であるか判断するステップをさらに含む請求項７に記載の方法。
【請求項９】
前記受信した複数のデータ転送要求の前記１または複数を選択する前に、前記受信した複数のデータ転送要求のそれぞれによって消費されるネットワークデータの量を判断するステップと、
前記受信した複数のデータ転送要求の１または複数についての消費されるネットワークデータの前記判断された量を、前記データ使用プランの下で残っているネットワークデータ消費の量と比較するステップと
をさらに含み、前記受信した複数のデータ転送要求の前記選択した１または複数を開始するステップが、前記比較に基づいて、前記受信した複数のデータ転送要求の前記選択した１または複数を開始するステップを含み、
消費される前記ネットワークデータの前記量を判断するステップが、前記コンピュータデバイスによりウェブサービスからダウンロードされる更新のサイズを判断するステップを含む請求項７に記載の方法。
【請求項１０】
前記アクセスした現在のデータ使用統計を、前記ネットワーク接続に関連し前記データ使用プランにより定義された閾値と比較して残存ネットワークデータ消費を計算するステップをさらに含み、前記受信した複数のデータ転送要求の前記１または複数を選択するステップが、前記計算した残存ネットワークデータ消費に基づいて発生する請求項７に記載の方法。